【手続補正書】
【提出日】平成14年10月15日(2002.10.15)
【手続補正１】
【補正対象書類名】明細書
【補正対象項目名】特許請求の範囲
【補正方法】変更
【補正の内容】
【特許請求の範囲】
【請求項１】
中央演算装置、ランダムアクセスメモリー、ビューイングスクリーン、マザーボード、モデム、およびデータ入力手段を備えるハンドヘルド電子装置において、
少なくとも１つの広告であって、前記ビューイングスクリーン上で見ることができ、前記装置上に恒久的に記憶される広告、および
前記少なくとも１つの広告を改訂するための改訂手段
を含むことを特徴とする装置。
【請求項２】
前記装置がシグナルコンバータ、および印刷手段を含むことを特徴とする請求項１記載の装置。
【請求項３】
前記少なくとも１つの広告が、関連する製品の着色ハイライト、該製品を特定する着色背景グラフィクス、ビデオ、アニメーション、処方セッションの間にスクリーンに表示されるスプラッシ、オーディオ、オーディオビジュアル、印刷可能なディスカウントクーポンおよび印刷可能な社名ロゴからなる群から選ばれる１つ以上広告であることを特徴とする請求項２記載の装置。
【請求項４】
中央演算ユニット、ランダムアクセスメモリー、マザーボード、ビューイングスクリーンおよびデータ入力手段を有するハンドヘルド電子装置を用意し、該装置を操作するソフトウェアを用意することを含む広告提供方法において、
広告手段であって、広告が前記ビューイングスクリーン上で見ることができ、かつ前記装置に恒久的に記憶される広告手段を用意する工程、および
前記広告を改定する工程
を備えることを特徴とする方法。
【請求項５】
前記中央演算ユニット、ランダムアクセスメモリー、マザーボード、ビューイングスクリーンおよびデータ入力装置を有するハンドヘルド電子装置を用意することが、中央演算ユニット、ランダムアクセスメモリー、マザーボード、ビューイングスクリーン、シグナルコンバーターおよびデータ入力装置を有するハンドヘルド電子装置を用意する工程を含むことを特徴とする請求項４記載の方法。
【請求項６】
前記広告手段であって、広告が前記ビューイングスクリーン上で見ることができ、かつ前記装置に恒久的に記憶される広告手段を用意することが、広告手段であって、該広告が、前記ビューイングスクリーン上で見ることができ、前記装置上に恒久的に記憶され、かつ関連する製品の着色ハイライト、該製品を特定する着色背景グラフィクス、ビデオ、アニメーション、処方セッションの間にスクリーンに表示されるスプラッシ、オーディオ、オーディオビジュアル、印刷可能なディスカウントクーポンおよび印刷可能な社名ロゴからなる群から選ばれる１つ以上の広告である広告手段を提供する工程を含むことを特徴とする請求項５記載の方法。
【請求項７】
前記広告を改定することが、さらに、前記シグナルコンバーターにより広告を改訂する工程を含むことを特徴とする請求項５記載の方法。
【請求項８】
さらに、広告を載せた処方箋を印刷する工程を含むことを特徴とする請求項５記載の方法。
【請求項９】
処方箋情報を伝達する工程；および
処方箋を印刷する工程
をさらに含むことを特徴とする請求項４記載の方法。
【請求項１０】
前記処方箋上の前記少なくとも１つの広告を印刷する工程をさらに含むことを特徴とする請求項９記載の方法。
【請求項１１】
前記ビューイング上でみることができ、前記装置に恒久的に記憶される広告を用意する手段が、
前記装置上の少なくとも１つのバナー広告であって、前記装置に恒久的に記憶され、前記少なくとも１つの広告が、関連する製品の着色ハイライト、この製品を特定する着色背景グラフィクス、ビデオ、アニメーション、処方セッションの間にスクリーンに表示されるスプラッシ、オーディオ、オーディオビジュアル、印刷可能ディスカウントクーポンおよび印刷可能な社名ロゴからなる群から選ばれる１つ以上の広告を用意する工程であることを特徴とする請求項１０記載の方法。
【請求項１２】
方法を実施するコンピュータシステムを制御するための指示を含むコンピュータにより読取可能な媒体において、前記方法が、
電子ハンドヘルド装置用の少なくとも１つの電子的バナー広告であって、前記電子ハンドヘルド装置上に記憶される広告を用意する工程、および
前記少なくとも１つの広告を改定する工程
を含むことを特徴とするコンピュータにより読取可能な媒体。。
【請求項１３】
前記少なくとも１つの広告が関連する製品の着色ハイライト、この製品を特定する着色背景グラフィクス、ビデオ、アニメーション、処方セッションの間にスクリーンに表示されるスプラッシ、オーディオ、オーディオビジュアル、印刷可能ディスカウントクーポンおよび印刷可能な社名ロゴからなる群から選ばれることを特徴とする請求項１２記載のコンピュータにより読取可能な媒体。
【手続補正２】
【補正対象書類名】明細書
【補正対象項目名】発明の詳細な説明
【補正方法】変更
【補正の内容】
【発明の詳細な説明】
【０００１】
（技術分野）
Ｉ．発明の背景
Ａ．発明の分野
本発明は米国仮特許第６０／１７７，９１４号、発明の名称「典型的には見本刷り紙フォーム上に記入される医療処方箋等の反復的書類の電子的記入用のソフトウェア、装置および方法」、２０００年１月２５日出願、の優先権を主張するものである。
本発明はハンドヘルド電子装置の技術に関し、さらに詳しくは医療分野に用いられるハンドヘルド装置に関し、より詳しくはハンドヘルド電子装置上に広告を載せることに関する。
【０００２】
（背景技術）
Ｂ．従来技術の説明
現在、ヘルスケアを専門とする医師等は処方箋を記載するハンドヘルド電子装置を使用している。これにより、先年来増加している、処方箋の筆記および署名が読みづらいため、過剰投与、誤処方および他の種々の問題に対する懸念が軽減される。電子処方箋は安全、迅速かつ効率的な投薬処方の方法である。
公知の表示装置の一つが日本特許アブストラクト０９３２５９４１合に開示されている。この引用文献はキー入力部と表示部とを用意し、該キー入力部における広告の議論を指示するためのキーを用意し、かつこのキーの入力に応じて該表示部に該広告を表示することにより規定された実用的機能を保持しながら広告機能を利用することを開示している。
他の表示装置がフランス国実用新案第２、７７５、０９３号Ａ３公報に開示されている。この引用文献に開示されている目的は数学的演算を行い、通貨間の両替を交換比率の関数として計算し、スクリーン上に固定されたまたは移動する、メッセージを広告するのに有効な文字を表示することである。
【０００３】
本発明は電子的処方箋に記載し、かつハンドヘルド電子装置上の広告を行うための、新規かつ改善された装置および方法を適用するとともに、関連する発明に内在するある種の困難な点を全体としてより良好な結果を与えつつ克服するものである。
【０００４】
（発明の開示）
ＩＩ．発明の要約
本発明の一つの態様によれば、ハンドヘルド電子装置は、中央演算装置；ランダムアクセスメモリー；ビューイングスクリーン；マザーボード；モデム；データ入力手段；処方箋記載手段；少なくとも１つの広告であって、前記ビューイングスクリーン上で見ることができるとともに、関連する製品の着色ハイライト、この製品を特定する着色背景グラフィクス、ビデオ、アニメーション、処方セッションの間にスクリーンに表示されるスプラッシ、オーディオ、オーディオビジュアル、印刷可能なディスカウントクーポンおよび印刷可能な社名ロゴからなる群から選ばれる広告；および前記少なくとも１つの広告を改訂するための改訂手段を含む。
【０００５】
本発明の他の態様によれば、広告提供方法は、中央演算ユニット、ランダムアクセスメモリー、マザーボード、ビューイングスクリーンおよびデータ入力装置を有するハンドヘルド電子装置を用意する工程；前記装置を操作するソフトウェアを用意する工程；および広告手段であって、広告が前記ビューイングスクリーン上で見ることができ、かつ前記装置に恒久的に記憶される広告手段を用意する工程を備える。
【０００６】
本発明のさらに別の態様によれば、上記方法は前記ソフトウェアを改訂することにより前記広告を改訂する工程を含む。
【０００７】
本発明のさらに別の態様によれば、上記方法は前記モデムにより広告を改訂する工程および前記処方箋上の前記少なくとも１つの広告を印刷する工程を含む。
【０００８】
本発明のさらに別の態様によれば、ハンドヘルド電子装置は、中央演算ユニット、ランダムアクセスメモリー、マザーボード、ビューイングスクリーン、モデム、データ入力手段、少なくとも１つの広告であって、広告が前記ビューイングスクリーン上で見ることができ、かつ前記装置に恒久的に記憶される広告手段、処方箋を印刷するための印刷手段、および前記少なくとも１つの広告を改訂するための改訂手段を含む。
【０００９】
本発明のさらに別の態様によれば、コンピュータにより読取可能な媒体は、中央演算ユニット、ランダムアクセスメモリー、マザーボード、モデム、およびデータ入力装置を有する前記電子ハンドヘルド装置用の少なくとも１つの電子的バナー広告であって、前記電子ハンドヘルド装置上に記憶される広告、を用意する工程、および前記少なくとも１つの広告であって、関連する製品の着色ハイライト、この製品を特定する着色背景グラフィクス、ビデオ、アニメーション、処方セッションの間にスクリーンに表示されるスプラッシ、オーディオ、オーディオビジュアル、印刷可能なディスカウントクーポンおよび印刷可能な社名ロゴからなる群から選ばれる広告を改訂する工程を含む方法を実施するコンピュータシステムを制御するため指示を含む。
【００１０】
本発明のさらに別の利点は以下の詳細な説明を読んで理解すれば当業者には明瞭であろう。
【００１１】
ＩＩＩ．定義
広告−企業のアイデンティティ−、製品またはサービス、あるいはそれら３つのうちの任意の組み合わせ若しくはすべての販売促進に対して企業によってなされる支払い。この販売促進は４つのカテゴリーを通して達成することができる。−１）電子的表示；２）オーディオ；３）ビデオ；および４）表側および／または裏側に印刷されたハードコピー、あるいはこれら４つのカテゴリーの任意の組み合わせである。また、いずれかの形の広告を使用することにより集められた情報、すなわち広告の読み手（ヘルスケアの専門家）の処方傾向が導かれ、従って一つの広告の形態となる。
モデム−一つのタイプの（コンピュータのような）装置により生成されるシグナルを他のタイプの（電話のような）装置と適合する形に変換する装置。
【００１２】
（発明を実施するための最良の形態）
ＩＶ．好適な実施態様
本発明の本実施態様は処方箋の記載者に向けられたものであるが、任意の携帯用電子装置上で使用できる。本発明を使用できる装置の若干の例としては、以下のもの：ハンドヘルド、プラットホーム独立型、プラットホーム従属型、ペン−記入型、音声認識、音声対話式コンピュータ、またはディジタル支援装置が挙げられる。しかしながら、このリストは本発明をなんら限定するものではなく、本発明を導入することができる電子装置のタイプの代表例を示すためのものであるにすぎない。また、ハンドヘルド装置の定義にはハンドヘルドコンピュータの能力を有する携帯電話も含まれる。
【００１３】
このハンドヘルド装置は無線通信能力、直接プリンターに接続するかまたはプリンターに無線接続するか、あるいは装置自体の内部に印刷手段を有するかのいずれかによる印刷能力、モデム（または他の何らかのシグナルコンバーター）、中央演算ユニット、ランダムアクセスメモリー、マザーボード、ビューイングスクリーン、および装置への入力手段を有する。モデムは医薬データベースおよび広告特徴の遠隔改訂のために設置する。
【００１４】
上記装置に広告を付加するが、この広告はハンドヘルドのビューイングスクリーン上で見ることができる。本発明の本実施態様では、広告はたいてい医薬会社用であるが、本発明は医薬の広告に限定されない。この広告は装置を構成する前に装置のソフトウェアに付加することもできる。例えば、医薬会社は独自の装置を製造するか、または装置のメーカーと契約を結んで、この医薬会社の広告が、装置を消費者に集荷されるときに装置上に現れるようにすることもできる。
【００１５】
あるいはまた、この広告は装置を構成した後に付加することもできる。例えば、この広告を医薬会社の要請により装置に付加することもできる。
【００１６】
特にこの実施態様では、広告は製薬会社の医薬その他のヘルスケア製品を広告するために製薬会社に売り、医師がハンドヘルド装置を使用しているとき、またはハンドヘルド装置上に処方箋を記載しているときに、製薬会社の広告がスクリーン上に現れるようにしてもよい。この広告は恒常的にハンドヘルド装置に、好ましくはソフトウェアのコードの一部として記憶される。恒常的に記憶されているとは、この広告が仮ファイルまたはディレクトリに登録されないことを意味する。広告スペースは装置のメーカーまたはヘルスケア専門家のいずれによって販売または実行されてもよい。この広告はスクリーンの色が記載される処方箋によって変化するスプラッシスクリーンの形であってもよい。従って、製薬会社の色が記載される個々の処方箋に関連づけられる。例えば、特定の会社がある色をロゴまたは商標に使用しているならば、それらの色をビューイングスクリーン上で見ることができるし、または特定の丸薬が常に特定の色で出されるならば、この色をスクリーン上で用いることができる。スプラッシスクリーンは単独で使用してもよく、適正な技術的および営業的判断を用いて選ばれた他の広告方式と組み合わせて使用してもよい。
【００１７】
この広告は視覚的または聴覚的のいずれでもよい。この広告は会社のロゴ、ブランド名、色その他任意の会社が出所であることを特定する手段の形をしていてもよい。この広告はまた会社の名称またはコマーシャルソングを始めとする任意のタイプの聴覚メッセージの形態であってもよい。任意の視覚的または聴覚的形態のこの広告は教育またはセミナー情報および改訂を含んでいてもよい。ハンドヘルド装置はこの情報または改訂を周期的に送るように設定することができる。
【００１８】
この広告がとることができる他の形態としては、処方箋がハンドヘルド装置から印刷されるとき、または処方箋が他の装置に伝達されるときである。処方箋が印刷されるときは、会社の広告が直接に処方箋上に印刷される。この広告はまた処方箋にクーポン券を印刷することもできる。この広告はクーポンの表および／または裏に印刷することができる。
【００１９】
この広告の他の実施態様は医師、または他の顧客に製品に関する広告を送るセールス代行を含めてもよい。医師は手すきのときにこの広告を見たり印刷したりすることができる。
【００２０】
また、処方箋を電子的に第２の装置に送る場合は、本発明の装置はその送信に広告を付して、受信側が処方箋その他の送信を受信したときにこの広告が受信装置上に置かれて受信者がそれを見ることができるようにしてもよい。
【００２１】
この広告は静的または動的（すなわち広告がスクリーン上をスクロールするか、任意のテキスト又は処方箋の背後で単に背景としてか、またはスクリーン上の一部の静的テキスト）のいずれであってもよい。この広告は医師の好みに従って、または入力された特定の病気に従って調整するように設計してもよい。この広告は、適正な技術上および営業上の判断を用いて選ばれる限り任意の仕方でカスタマイズすることができる。この広告はまた、モデム等の、情報を改訂することができる任意の方法により、上記装置上で周期的に改訂してもよい。この広告はソフトウェアのコードの一部となり、改訂はソフトウェアのコードを改訂することになる。
【００２２】
上述のように、本発明は本実施態様で説明した特定のハンドヘルド装置に限定されず、処方箋の記載者またはヘルスケア産業に限定されない。本発明の方法は広告に適しているかまたは望まれる、任意の携帯またはハンドヘルド電子装置を用いて使用することができる。ハンドヘルド装置の設計および操作は当業界においてよく知られており、説明を簡単にするために、ここでは説明しない。ハンドヘルド装置で広告を操作し実施することは当業者が通常成し得ることの範囲内であり、従って、ここではさらなる説明はしない。
【００２３】
電子的表示による広告は会社を競業者または競業者の製品／サービスから区別するのに用いられる任意の手段により行うことができる。これは、限定されないが、テキスト、音声によるアナウンス、製品、製品ラベル、イラストレーション、フルカラーの絵およびアニメーション、およびそのような広告の使用により生成されるサマリーリストに対する識別および変更により行うことができる。顧客も印刷されたフォームで自己の会社を表現する方を選ぶことができる。これは、限定されず、上記の電子的変更のすべての形をとることができるが、紙のような基体上に印刷されたフォーマットに作成される。
【００２４】
本発明は一つの実施態様について説明したが、本明細書を読み、理解した者は変更および改変を加えることができることは明らかである。本出願人はそのような変更及び改変が、特許請求の範囲内である限り、本発明に含まれることを意図している。